(57)【特許請求の範囲】
【請求項１】
管路の本管（Ａ）から分岐管（Ｂ）が分岐した分岐部を補修する方法であって、前記管路の本管（Ａ）に適合する筒状基部（３８）の一部に前記管路の分岐管（Ｂ）に適合する筒状枝部（３９）が分岐した略Ｔ字状の補修材（３７）の内側に、当該補修材（３７）の前記筒状基部（３８）及び筒状枝部（３９）にそれぞれ適合する基部（４１）及び枝部（４２）を有するバッグ（３６）を配し、前記補修材（３７）の筒状枝部（３９）及びバッグ（３６）の枝部（４２）を外側が内側となるように裏返してバッグ（３６）の基部（４１）内において巻回した状態で収容し、補修材（３７）の筒状基部（３８）及びバッグ（３６）の基部（４１）の径を縮小させた状態で、当該補修材（３７）及びその補修材（３７）内に配されたバッグ（３６）を管路の本管（Ａ）内における前記分岐部に配置し、前記バッグ（３６）内に圧力流体を送入して当該バッグ（３６）の基部（４１）を膨脹させて、前記補修材（３７）の筒状基部（３８）を前記管路の本管（Ａ）の内面に圧接せしめ、次いで前記バッグ（３６）の枝部（４２）及び補修材（３７）の筒状枝部（３９）をその巻回状態から繰り出し、繰り出された前記補修材（３７）の筒状枝部（３９）及びバッグ（３６）の枝部（４２）を前記流体圧力により内側が外側となるように反転させつつ管路の分岐管（Ｂ）内に挿入し、補修材（３７）の筒状枝部（３９）を管路の分岐管（Ｂ）の内面に圧接せしめ、然る後前記補修材（３７）を硬化せしめることを特徴とする、管路の分岐部の補修方法
【請求項２】
前記補修材（３７）及びバッグ（３６）を管路本管（Ａ）内における分岐部に配置した後、補修材（３７）の筒状基部（３８）における筒状枝部（３９）との接続部を、管路の本管（Ａ）内面における分岐部に一致せしめると共に、当該筒状基部（３８）における筒状枝部（３９）との接続部周辺を、管路の本管（Ａ）内面における分岐部周辺に密着せしめ、然る後にバッグ（３６）内に圧力流体を送入することを特徴とする、請求項１に記載の管路の分岐部の補修方法
【請求項３】
前記バッグ（３６）の基部（４１）内に配置された紫外線ランプ（１８）から照射される紫外線により、前記補修材（３７）を硬化せしめることを特徴とする、請求項１に記載の管路分岐部の補修方法
【請求項４】
前記バッグ（３６）における前記補修材（３７）と重ならない位置に、紫外線反射部（４５）を設けたことを特徴とする、請求項３に記載の管路の分岐部の補修方法
【請求項５】
前端部及び後端部にバッグ（３６）の基部（４１）の端末部を環状に固定する端壁部材（２，３）を有し、当該端壁部材（２，３）間に回転シャフト（４）を軸支すると共に、当該回転シャフト（４）にバッグ（３６）の枝部（４２）先端部を結合する結合部（９）を形成し、バッグ（３６）を取り付けた状態における端壁部材（２，３）間の内部空間に圧力流体を送入する圧力流体送入口（１１）を設けた本体（１）を有することを特徴とする、管路の分岐部の補修装置
【請求項６】
前記本体（１）の外周部に、管路の分岐管（Ｂ）の内側に遊嵌し得るリング（１７）を、径方向に移動可能に設けたことを特徴とする、請求項５に記載の管路の分岐部の補修装置
【請求項７】
管路の本管（Ａ）内を移動する搬送装置（２１，２２）に前記本体（１）を取り付け、当該本体（１）を前記搬送装置（２１，２２）に対して周方向に回動可能に設けたことを特徴とする、請求項５に記載の管路の分岐部の補修装置
【請求項８】
前記端壁部材（２，３）間に紫外線ランプ（１８）を設けたことを特徴とする、請求項５に記載の管路の分岐部の補修装置
【請求項９】
前記バッグ（３６）の基部（４１）の両端部若しくは枝部（４２）の先端部又はその両者に、紫外線反射部（４５）を設けたことを特徴とする、請求項５に記載の管路の分岐部の補修装置
【発明の詳細な説明】
【０００１】
【発明の属する技術分野】
本発明は、ガス導管、水道管、下水道管、電力線や通信線などの敷設管路などの、主として地中に埋設された管路において、その管路の本管から分岐管が分岐する分岐部をその内側から補修するための、補修の方法、装置及び補修材に関するものである。
【０００２】
【従来の技術】
従来から管路を補修するために、管路の内面に内張り材を貼付けて内張りすることが行われている。
【０００３】
しかしながら特に末端に近い管路においては、その管路の途中で分岐していることが多く、その管路を内張り材で内張りすると分岐部が閉塞されて、分岐管と本管との接続が失われるので、分岐を有する管路においては、分岐部を含めてその本管に内張り材を張付けて内張りした後、分岐部の内張り材に穿孔し、分岐管を本管に通ぜしめることが行われている。
【０００４】
しかしながら特に下水道管などにおいては、分岐部において損傷が生じることが多く、その損傷部から地下水が浸入して下水に混入したり、また汚水が損傷部から漏出して地下水を汚染するのを避けることができない。
【０００５】
そこで本願の出願人が先になした出願に係る特開平６−１５７３８号公報には、筒状基部と筒状枝部とよりなる略Ｔ字状の補修材で、管路の分岐部における本管から分岐管にかけての部分を補修する方法が示されている。
【０００６】
【発明が解決しようとする課題】
しかしながら管路の分岐部の構造においては、管路の本管に分岐管を結合するためのソケットが取り付けられており、そのソケットに分岐管を結合して分岐を形成する構造のものがある。
【０００７】
このような構造においては、ソケットと分岐管との結合部は本管から分岐内にかなり侵入した位置に形成されることとなり、かかる位置からの地下水の侵入が生じるのであるが、前記方法では分岐管に深く侵入した位置まで補修することができず、前述のような構造の管路に対しては適用できない。
【０００８】
本発明はかかる事情に鑑みなされたものであって、管路の分岐部を、分岐管の相当奥の位置まで補修して、地下水の浸入や汚水の漏出を防止するための方法を提供することを目的とするものである。
【０００９】
【課題を解決する手段】
而して本発明の管路の分岐部の補修方法は、管路の本管から分岐管が分岐した分岐部を補修する方法であって、前記管路の本管に適合する筒状基部の一部に前記管路の分岐管に適合する筒状枝部が分岐した略Ｔ字状の補修材の内側に、当該補修材の前記筒状基部及び筒状枝部にそれぞれ適合する基部及び枝部を有するバッグを配し、前記補修材の筒状枝部及びバッグの枝部を外側が内側となるように裏返してバッグの基部内において巻回した状態で収容し、補修材の筒状基部及びバッグの基部の径を縮小させた状態で、当該補修材及びその補修材内に配されたバッグを管路の本管内における前記分岐部に配置し、前記バッグ内に圧力流体を送入して当該バッグの基部を膨脹させて、前記補修材の筒状基部を前記管路の本管の内面に圧接せしめ、次いで前記バッグの枝部及び補修材の筒状枝部をその巻回状態から繰り出し、繰り出された前記補修材の筒状枝部及びバッグの枝部を前記流体圧力により内側が外側となるように反転させつつ管路の分岐管内に挿入し、補修材の筒状枝部を管路の分岐管の内面に圧接せしめ、然る後前記補修材を硬化せしめることを特徴とするものである。
【００１０】
この発明においては、補修材の筒状枝部及びバッグの枝部を流体圧力により反転させて、管路の分岐管内に挿入するに当っては、前記補修材及びバッグを管路本管内における分岐部に配置した後、補修材の筒状基部における筒状枝部との接続部を管路の本管内面における分岐部に一致せしめると共に、当該筒状基部における筒状枝部との接続部周辺を、管路の本管内面における分岐部周辺に密着せしめ、然る後にバッグ内に圧力流体を送入することが好ましい。
【００１１】
また前記補修材を硬化せしめる手段として、前記バッグの基部内に配置された紫外線ランプから照射される紫外線により、前記補修材を硬化せしめることが好ましい。また前記バッグにおける前記補修材と重ならない位置に、紫外線反射部を設けることが好ましい。
【００１２】
本発明の管路の分岐部の補修装置は、前端部及び後端部にバッグの基部の端末部を環状に固定する端壁を有し、当該端壁間に回転シャフトを軸支すると共に、当該回転シャフトにバッグの枝部先端部を結合する結合部を形成し、バッグを取り付けた状態における端壁間の内部空間に圧力流体を送入する圧力流体送入口を設けた本体を有することを特徴とするものである。
【００１３】
この補修装置においては、前記本体の外周部に、管路の分岐管の内側に遊嵌し得る短筒を、径方向に移動可能に設けることが好ましい。またこの補修装置において、管路の本管内を移動する搬送装置に前記本体を取り付け、当該本体を搬送装置に対して周方向に回動可能に設けることが好ましい。
【００１４】
またこの補修装置においては、前記端壁間に、補修材を硬化せしめる手段としての紫外線ランプを設けることが好ましく、またこの場合においては、前記バッグの基部の両端部若しくは枝部の先端部又はその両者に、紫外線反射部を設けることが好ましい。
【００１６】
【発明の実施の形態】
以下本発明の実施の形態を、図面に従って説明する。図１乃至図７は本発明の補修装置を示すものであって、１は当該補修装置の本体である。
【００１７】
当該本体１において、２及び３は前端部及び後端部に設けられた端壁部材であって、当該端壁部材２，３間には回転シャフト４が回転自在に架設されており、当該回転シャフト４は前端部の端壁部材２内においてギア５の中心に固定され、当該ギア５は小ギア６を介して、モーター７により回転駆動されるようになっている。また前記回転シャフト４の中央部には、結合部としての止め部材９が取り付けられている。
【００１８】
後端部の端壁部材３には送気管１０が貫通しており、その送気管１０の外端は装置外に設けられたコンプレッサー（図示せず）に接続されており、また内端には端壁部材３の内側面に圧力流体送入口１１が開口している。
【００１９】
端壁部材２，３の内側面の上部には、それぞれエアーシリンダ１２が取り付けられている。当該エアーシリンダ１２のピストンロッド１３の先端には、後述する管路の本管Ａの内面形状に適合した円弧状の支持面を有するアウトリガ１４が取り付けられており、その両アウトリガ１４は二本のロッド１５で一体に結合されている。
【００２０】
またそのロッド１５間は、前記アウトリガ１４と同様の円弧状に彎曲した連結ロッド１６により適宜の間隔で連結されており、本体１の中央部におけるロッド１５及び連結ロッド１６には、前記アウトリガ１４及び連結ロッド１６と同様の円弧状に彎曲した上端縁を有するリング１７が取り付けられている。
【００２１】
そのリング１７は後述する管路の分岐管Ｂの内径より僅かに小径であって、その上端縁は、前記アウトリガ１４及び連結ロッド１６の上面より若干上方に突出している。
【００２２】
そして前記エアーシリンダ１２を圧縮空気で作動させることにより、アウトリガ１４、ロッド１５、連結ロッド１６及びリング１７を一体として、本体１の径方向すなわち図面において上下方向に移動可能となっている。
【００２３】
１８は紫外線ランプであって、リング１７の近傍の下方に、この例においては二本が本体１の中央よりやゝ前方寄りとやゝ後方寄りに、本体１の中心軸に対して平行に設けられている。１９は紫外線ランプ１８をその両端で支持する支持部材であって、ばね手段２０によって紫外線ランプ１８をその両端から支持部材１９で挟持することにより、紫外線ランプ１８を端壁部材２，３に対して支持するようになっている。
【００２４】
紫外線ランプ１８の外側には、全面に多数の小孔３１を穿設した断面半円形状の反射板３２が設けられており、当該反射板３２は本体１の中心軸の方向に向かって開いている。
【００２５】
２１，２２は、本体１の前部及び後部に設けられた搬送装置である。当該搬送装置２１，２２は、円盤状の支持部材２３の外周部に、転輪２４を取り付けた揺動部材２５が三組、支持部材２３の周方向に等間隔で、その基部において回動自在に軸支されている。
【００２６】
各揺動部材２５は、ばね手段２６により外方に向かって付勢されており、管路の本管Ａ内において転輪２４が本管Ａの内面に圧接されることにより、搬送装置２１，２２が本管Ａの中心部に支持されると共に、転輪２４により本管Ａ内を移動し得るようになっている。
【００２７】
而してこの搬送装置２１，２２はその中心において、前記本体１の両端に取り付けられた軸２７に対して回転自在に軸支されており、搬送装置２１，２２により本体１が支持され、本管Ａに沿って移動するようになっている。
【００２８】
そして後部の搬送装置２２には内歯歯車２８が形成されており、本体１の後端部の端壁部材３内に設けられたモーター２９により駆動される小ギア３０が前記内歯歯車２８と噛合し、モーター２９を駆動することにより内歯歯車２８及び小ギア３０の作用で、本体１を搬送装置２１，２２に対して軸２７を回転軸として回転させるようになっている。
【００２９】
また３３は前記前端部の端壁部材２を貫通した通気管３３であって、その内側端には流量調節弁３４が設けられている。また前部の軸２７の先端にはアイボルト３５が結合されて前方からワイヤーなどで牽引するようになっており、後部の軸２７には装置を作動させる空気配管や電源ケーブルが挿通され、先端のコネクター（図示せず）に結合され、後方から電力や圧縮空気を供給するようになっている。
【００３０】
図７において、３６はバッグであり、３７は当該バッグ３６の外側に嵌合された補修材３７である。このバッグ３６及び補修材３７の詳細は、図８に示されている。
【００３１】
前記補修材３７は、管路の本管Ａに適合する筒状基部３８と、当該筒状基部３８の一部から分岐して管路の分岐管Ｂに適合する筒状枝部３９とよりなり、略Ｔ字状をなしている。
【００３２】
当該補修材３７は、適宜の合成繊維の織布、不織布又はこれらを適宜組み合わせた素材よりなり、必要に応じてガラス繊維やアラミド繊維などの高強度繊維を使用するのが好ましい。そしてこれらの織布、不織布等に、紫外線硬化性の樹脂液が含浸されている。なおこの樹脂液は、酸化マグネシウムなどの増粘剤を混合して増粘することが好ましい。
【００３３】
補修材３７の形状は、前記織布、不織布等を筒状に形成し、それを縫製、ニードルパンチング、溶着などの手段により、Ｔ字状に一体化する。そしてその補修材３７における、筒状基部３８の両端部及び筒状枝部３９の先端部には、その外周に、水膨脹性ゴムよりなるリング状の止水材４０が嵌合されている。
【００３４】
前記バッグ３６は、柔軟なプラスチックフィルム又はこれを織布で補強した素材よりなり、補修材３７と同様の基部４１と枝部４２とよりなる略Ｔ字状をなしており、その基部４１は補修材３７の筒状基部３８に、枝部４２は補修材３７の筒状枝部３９に、それぞれ適合している。
【００３５】
そしてそのバッグ３６の枝部４２の先端部４３は閉塞されており、当該先端部４３には牽引紐４４が止着されており、当該牽引紐４４は枝部４２内を通って基部４１内に垂下している。
【００３６】
またバッグ３６の枝部４２における補修材３７の筒状枝部３９から突出した部分には、紫外線反射部４５が形成されている。当該紫外線反射部４５は、枝部４２の内面にアルミニウムなどの箔を貼着したり、アルミニウムの蒸着や塗装などにより形成することができる。また紫外線反射部４５はバッグ３６の基部４１の両端部に形成することもでき、また基部４１と枝部４２との両者に紫外線反射部４５を形成することもできる。
【００３７】
【作用】
次に前記装置を使用して、本発明の方法により管路の分岐部を補修する工程について説明する。図７は、本発明の装置にバッグ３６及び補修材３７を取り付け、その装置を管路に分岐部に配置した状態が示されている。
【００３８】
バッグ３６は、その両端が装置本体１の端壁部材２及び端壁部材３の外周に被せられ、その外側から締め付けリング４６で締め付けられて、本体１に対して取り付けられている。このときバッグ３６の枝部４２及び補修材３７の筒状枝部３９を、リング１７の位置に一致せしめる。
【００３９】
そしてそのバッグ３６における牽引紐４４が、回転シャフト４に形成された止め部材９に止着し、前記モーター７を駆動して小ギア６及びギア５を介して回転シャフト４を回転させることにより、当該回転シャフト４に牽引紐４４を巻回してバッグ３６の枝部４２を内方に牽引し、枝部４２及びその外側に嵌合された補修材３７の筒状枝部３９を、外側が内側となるように裏返しながら、前記リング１７を通して内方に引き込み、回転シャフト４に巻回する。
【００４０】
またこの状態で圧力流体送入口１１からバッグ３６内の空気を抜いて減圧し、バッグ３６の基部４１及び補修材３７の筒状枝部３９を径方向に縮小させて、本体１の周囲に密着させる。
【００４１】
この状態で装置は、アイボルト３５に接続された適宜の牽引手段により、管路の本管Ａを通して牽引され、転輪２５が転動することにより本管Ａ内面に沿って移動し、分岐部に位置せしめられる。
【００４２】
またその分岐部において、モーター２９を駆動して小ギア３０及び内歯歯車２８を介して、搬送装置２２に対して本体１を回動させ、リング１７を管路の分岐部に対向させる。
【００４３】
本体１内における装置の位置及び角度は、本管Ａ内に装置と共に引き込まれたテレビカメラ（図示せず）や、分岐管Ｂから挿入されたテレビカメラ（図示せず）により撮影し、管路外においてモニターで確認しつつ、前方からの牽引及び本体１の回動により、リング１７を正確に分岐部に対向させる。
【００４４】
図７において管路は、本管Ａの分岐部の管壁に透孔を穿設し、当該透孔にソケットＣが結合され、そのソケットに分岐管Ｂを螺合することにより、分岐部が形成されている。
【００４５】
而して装置のリング１７を分岐部に正確に対向せしめたならば、バッグ３６内の減圧を停止し、先ずエアーシリンダ１２を作動させてアウトリガ１４を上動させ、それと共にロッド１５、連結ロッド１６及びリング１７を、一体として上動させる。
【００４６】
これにより図９に示すように、バッグ３６の上部をアウトリガ１４と本管Ａ内面との間に挟持すると共に、リング１７の上端部が分岐部に嵌入し、バッグ３６の枝部４２及び補修材３７の筒状枝部３９の一部をソケットＣ内に押し込み、そこに折り返し部４７が形成される。
【００４７】
次いで、圧力流体送入口１１からバッグ３６内に圧縮空気などの圧力流体を挿入すると、先ずバッグ３６の基部４１が膨脹して補修材３７の筒状基部３８を押し拡げ、本管Ａの内面に圧接せしめる。このとき筒状基部３８の両端部外周に嵌合されていた止水材４０は、当該筒状基部３８と本管Ａの内面との間に挟圧される。
【００４８】
この状態でモーター７を駆動して、小ギア６及びギア５を介して回転シャフト４を先と逆方向に回転させると、当該回転シャフト４に巻回されていたバッグ３６の枝部４２及び補修材３７の筒状枝部３９が繰り出され、折り返し部４７においてバッグ３６内の流体圧力によって内側が外側となるように反転しつつ、その折り返し部４７はソケットＣ及び分岐管Ｂに沿って進行する。
【００４９】
そして図１０に示すように、反転したバッグ３６の枝部４２は流体圧力により膨脹し、その外側に位置する補修材３７の筒状枝部３９を、ソケットＣ及び分岐管Ｂの内面に圧接せしめる。
【００５０】
さらに反転が進行すると、図１１に示すように補修材３７の筒状枝部３９はその全長に亙って反転し、その内側からバッグ３６の枝部４２で押圧されて分岐管Ｂの内面に圧接せしめられると共に、筒状枝部３９の先端部外周に嵌合されていた止水材４０は、当該筒状枝部３９と分岐管Ｂとの間に挟圧される。またバッグ３６の枝部４２は、補修材３７の筒状枝部３９の先端よりさらに先方にまで反転が進行し、当該枝部４２の先端に連結されている牽引紐４４は、回転シャフト４から繰り出される。
【００５１】
ここでバッグ３６内の流体圧力を維持しつつ、紫外線ランプ１８を点灯し、バッグ３６を透過して補修材３７に紫外線を照射して、当該補修材３７を硬化せしめると共に、筒状基部３８及び筒状枝部３９をそれぞれ本管Ａ及び分岐管Ｂに接着する。
【００５２】
図面の例においては、紫外線ランプ１８に多数の小孔３１を穿設した反射板３２を設け、当該反射板３２が本体１の中心軸の方向に開いた断面半円形をなしているので、紫外線ランプ１８から放射された紫外線は、補修材３７の筒状基部３８全体に均等に照射される。
【００５３】
また紫外線ランプ１８の位置がリング１７の近傍であるので、紫外線の一部は分岐管Ｂに侵入し、補修材３７の筒状枝部３９に照射される。またバッグ３６の枝部４２に紫外線反射部４５を形成することにより、当該紫外線反射部４５に照射された紫外線は、当該紫外線反射部４５で反射して枝部４２内に戻り、補修材３７の筒状枝部３９の硬化に寄与する。
【００５４】
なお紫外線ランプ１８を点灯することにより当該紫外線ランプ１８は発熱し、バッグ３６内が高温雰囲気となるが、バッグ３６内の空気を前記流量調節弁３４で制御しつつ通気管３３から徐々に排出することにより、過度の温度上昇を防止することができる。
【００５５】
このようにして補修材３７が硬化したならば、図１２に示すようにエアーシリンダ１２を作動させてアウトリガ１４を下動させ、これに伴ってロッド１５、連結ロッド１６及びリング１７をも一体として下動させる。
【００５６】
然る後、モーター７を作動させて、小ギア６及びギア５を介して回転シャフト４を回転させ、繰り出されていた牽引紐４４及びバッグ３６の枝部４２を回転シャフト４に巻回する。
【００５７】
これによりバッグ３６の枝部４２は、図１３に示すように、折り返し部４７において外側が内側となるように反転しながら、分岐管Ｂに接着された補修材３７の筒状枝部３９から剥がされ、分岐管Ｂ内から抜き取られて本管Ａ内に引き出され、回転シャフト４に巻回される。
【００５８】
バッグ３６の枝部４２をその全体に亙って補修材３７の筒状枝部３９から剥がして反転させたならば、圧力流体送入口１１からバッグ３６内の空気を吸引して減圧し、図１４に示すように基部４１を補修材３７の筒状基部３８から剥がして径を縮小し、アイボルト３５に結合された牽引手段により牽引して装置を管路外に引き出し、管路の分岐部の補修を完了する。
【００５９】
【発明の効果】
本発明の方法によれば、バッグ３６の枝部４２及び補修材３７の筒状枝部３９を内側に裏返した状態でバッグ３６の基部４１内に収容しておき、これを流体圧力で外側に裏返しながら管路の分岐部から分岐管Ｂ内に侵入せしめ、その流体圧力で筒状枝部３９を膨脹させて分岐管Ｂに圧接して補修するので、前記従来の方法に比べると、管路の分岐部から分岐管Ｂの奥の方まで、一体の補修材３７によって補修することができる。
【００６０】
従って図面に示すように、本管ＡにソケットＣを結合し、当該ソケットＣに分岐管Ｂを結合した管路においても、本管ＡからソケットＣを経て分岐管Ｂに至る部分を全体として一体に補修することができる。
【００６１】
またバッグ３６の枝部４２を牽引紐４４を介して回転シャフト４に巻回して収容することにより、当該枝部４２をコンパクトに収容でき、装置を小形化することができると共に、紫外線ランプ１８から放射された紫外線を遮蔽するものがなく、補修材３７全体に照射される。
【００６２】
さらに、補修材３７及びバッグ３６を管路の本管Ａ内における分岐部に配置した後、リング１７により補修材３７の筒状基部３８における筒状枝部３７との接続部を管路の本管Ａ内面における分岐部に一致せしめると共に、当該筒状基部３８における筒状枝部３９との接続部周辺を本管Ａ内面における分岐部周辺に密着せしめ、然る後にバッグ３６内に圧力流体を送入することにより、装置と管路との位置関係がずれることがなく、補修材３７を管路の分岐部を正確に適合させて適切に補修することができる。
【００６３】
またバッグ３６における補修材３７と重ならない位置に紫外線反射部４５を形成することにより、紫外線ランプ１８から放射された紫外線が装置外に逃げるのを阻止すると共に、その紫外線を内部に反射し、少ない紫外線量で補修材３７を効率よく硬化させることができる。
【００６４】
また補修材３７における筒状基部３８の両端部及び筒状枝部３９の先端部の外周に水膨脹性ゴムよりなる止水材４０を巻回することにより、当該止水材４０が水に触れることにより膨脹し、管路と補修材３７との間をシールして、管路内への水の侵入や外部への流体の漏出を阻止することができる。
【図面の簡単な説明】
【図１】  本発明の装置の一部を断面で示した平面図
【図２】  図１の装置における左側面図
【図３】  図１におけるIII−III断面図
【図４】  図１におけるIV−IV断面図
【図５】  図１におけるＶ−Ｖ断面図
【図６】  図１の装置における右側面図
【図７】  図１の装置を管路の分岐部に配置した状態の中央縦断面図
【図８】  本発明の補修材及びバッグの斜視図
【図９】  本発明の方法において補修材の分岐部を管路の分岐部に適合させた状態の中央縦断面図
【図１０】  本発明の方法においてバッグ及び補修材を反転しながら分岐管に挿入する状態の中央縦断面図
【図１１】  本発明の方法においてバッグ及び補修材を反転して分岐管に挿入した状態の中央縦断面図
【図１２】  本発明の方法において補修材の硬化が完了した後の状態の中央縦断面図
【図１３】  本発明の方法においてバッグを反転しながら分岐管から抜き取る状態の中央縦断面図
【図１４】  本発明の方法において管路の分岐部の補修が完了した状態の中央縦断面図
【符号の説明】
Ａ  本管
Ｂ  分岐管
１  本体
２，３  端壁部材
４  回転シャフト
９  止め部材（結合部）
１１  圧力流体送入口
１７  リング
１８  紫外線ランプ
２１，２２  搬送装置
３６  バッグ
３７  補修材
３８  筒状基部
３９  筒状枝部
４０  止水材
４１  基部
４２  枝部
４５  紫外線反射部
４７  折り返し部
【図１】
0004087963.tif 000002
【図２】
0004087963.tif 000003
【図３】
0004087963.tif 000004
【図４】
0004087963.tif 000005
【図５】
0004087963.tif 000006
【図６】
0004087963.tif 000007
【図７】
0004087963.tif 000008
【図８】
0004087963.tif 000009
【図９】
0004087963.tif 000010
【図１０】
0004087963.tif 000011
【図１１】
0004087963.tif 000012
【図１２】
0004087963.tif 000013
【図１３】
0004087963.tif 000014
【図１４】
0004087963.tif 000015